(57)【要約】      （修正有）【課題】出入口の幅に確実且つ良好に対応して止水できると共に、出入口への設置や倉庫等への収納に要する労力、時間を軽減できる浸水防止シャッターを提供する。【解決手段】浸水防止シャッター１は、出入口Ｓの床面Ｆ及び出入口Ｓの一方の壁面Ｗ又は柱面に当接し得る固定パネル２と、固定パネル２に当該固定パネル２の幅方向にスライド自在に設けられ、出入口Ｓの床面Ｆ及び出入口Ｓの他方の壁面Ｗ又は柱面に当接し得るスライドパネル３と、スライドパネル３の固定パネル２から突出する先端部に被せられ、出入口Ｓの他方の壁面Ｗ又は柱面に当接し得るスライドパネル３の幅方向へ移動可能なエンドカバー５と、スライドパネル３の先端部に設けられ、エンドカバー５を出入口Ｓの他方の壁面Ｗ又は柱面に押し付けるトグルクランプ７と、固定パネル２に設けられ、スライドパネル３を固定パネル２に押し付け固定するロックハンドル４と、を備えている。【選択図】図４
0003227406.tif 000002
【実用新案登録請求の範囲】
【請求項１】
各種建物の出入口、地上・地下の駐車場の出入口、地下街や地下鉄の出入口等に設置され、台風や豪雨による増水時に前記出入口から雨水や海水が内部へ浸入するのを防止する浸水防止シャッターであって、
前記出入口の床面及び前記出入口の一方の壁面又は柱面に当接し得る固定パネルと、
前記固定パネルに当該固定パネルの幅方向にスライド自在に設けられ、前記出入口の床面及び前記出入口の他方の壁面又は柱面に当接し得るスライドパネルと、
前記固定パネルに設けられ、前記スライドパネルを前記固定パネルに固定するロックハンドルと、
前記スライドパネルの前記固定パネルから突出する先端部に被せられ、前記出入口の他方の壁面又は柱面に当接し得る前記スライドパネルの幅方向へ移動可能なエンドカバーと、
前記スライドパネルの先端部に設けられ、前記エンドカバーを前記出入口の他方の壁面又は柱面に押し付けるトグルクランプと、
を備えていることを特徴とする浸水防止シャッター。
【請求項２】
各種建物の出入口、地上・地下の駐車場の出入口、地下街や地下鉄の出入口等に設置され、台風や豪雨による増水時に前記出入口から雨水や海水が内部へ浸入するのを防止する浸水防止シャッターであって、
前記出入口の床面に当接し得る固定パネルと、
前記固定パネルに当該固定パネルの幅方向にスライド自在に設けられ、前記出入口の床面及び前記出入口の一方の壁面又は柱面に当接し得るスライドパネルと、
前記固定パネルに設けられ、前記スライドパネルを前記固定パネルに固定するロックハンドルと、
前記スライドパネルの前記固定パネルから突出する先端部に被せられ、前記出入口の一方の壁面又は柱面に当接し得る前記スライドパネルの幅方向へ移動可能なエンドカバーと、
前記スライドパネルの先端部に設けられ、前記エンドカバーを前記出入口の一方の壁面又は柱面に押し付けるトグルクランプと、
前記固定パネルの基端部に折り畳み自在に連結され、前記出入口の床面及び前記出入口の他方の壁面又は柱面に当接し得る折り畳みパネルと、
を備えていることを特徴とする浸水防止シャッター。
【請求項３】
前記スライドパネルの先端部と前記エンドカバーとの間に、前記エンドカバーを前記スライドパネルに対して位置決めすると共に、前記エンドカバーのがたつきを吸収するスプリング付アジャストボルトを設けたことを特徴とする請求項１又は請求項２に記載の浸水防止シャッター。
【請求項４】
一直線状になった前記固定パネルと前記折り畳みパネルの連結部分の上端縁部に、前記折り畳みパネルが前記固定パネル側へ折り畳まれるのを防止するチャンネル型補強カバーを被せたことを特徴とする請求項２に記載の浸水防止シャッター。
【請求項５】
前記固定パネルの下面及び基端面、前記スライドパネルの下面、前記エンドカバーの先端面及び下面に、シール用の止水ガスケットを貼り付けたことを特徴とする請求項１に記載の浸水防止シャッター。
【請求項６】
前記固定パネルの下面、前記スライドパネルの下面、前記エンドカバーの先端面及び下面、前記折り畳みパネルの下面及び先端面に、シール用の止水ガスケットを貼り付けたことを特徴とする請求項２に記載の浸水防止シャッター。
【請求項７】
前記固定パネル及び前記スライドパネルは、合成樹脂板の折り曲げ成形加工又は溶接加工により形成されていることを特徴とする請求項１に記載の浸水防止シャッター。
【請求項８】
前記固定パネル、前記スライドパネル及び前記折り畳みパネルは、合成樹脂板の折り曲げ成形加工又は溶接加工により形成されていることを特徴とする請求項２に記載の浸水防止シャッター。
【考案の詳細な説明】
【技術分野】
【０００１】
本考案は、台風や集中豪雨、高潮等による増水発生時に、戸建ての家屋、ビル、マンション等の各種建物の出入口、地上・地下の駐車場の出入口、或いは地下街や地下鉄等の出入口等に迅速に設置できて雨水や海水の浸入を防止できるようにした浸水防止シャッターに関する。
【背景技術】
【０００２】
従来、台風や集中豪雨、高潮等の増水発生時に、雨水や海水の浸入を防止する手段としては、土嚢を建物や駐車場等の出入口に積み上げたり、或いは防水仕切板を立てる等の方法が採られることが多い。
【０００３】
しかし、土嚢や防水仕切板を用いる場合、準備や作業に時間がかかり、期待に応えるだけの効果が得られない。また、使用後の撤去作業や収納・保管方法、場所等の問題がある。
【０００４】
即ち、雨水等の浸入防止手段である土嚢は、建物等の出入口の大きさにより積み上げ数量の把握・準備及び積み上げに要する時間並びに労力や事前事後の土嚢の収納場所の問題が付きまとう。
【０００５】
また、土嚢に代わる防水仕切板については、建物等のそれぞれの出入口の大きさに限定した大きさのものを用意する必要があり、出入口の広い場合には、相当な重量にならざるを得ず、設置の場合の労力や収納場所の問題が付きまとう。
【０００６】
一方、雨水等の浸入を防止する手段としては、上述した土嚢や防水仕切板の他に、例えば特許文献１〜３に記載されたスライド式の止水装置や特許文献４〜８に記載された折り畳み式の止水装置が知られている。
【０００７】
前記スライド式の止水装置は、複数枚の止水板をスライド自在に組み合わせたものであり、長さを調整できるので、建物等の出入口の幅が変わっても、容易に対応できるという利点を有する。
【０００８】
また、前記折り畳み式の止水装置は、複数枚の止水板を折り畳み自在に連結したものであり、収納時に折り畳めるので、コンパクトになって収納や保管が容易になるという利点がある。
【先行技術文献】
【特許文献】
【０００９】
【特許文献１】特開２００７−１９７９５３号公報
【特許文献２】特開２０１０−１６３７４１号公報
【特許文献３】特開２０１７−１９０５９９号公報
【特許文献４】特開２００４−０６８５６７号公報
【特許文献５】特開２０１３−１６０００９号公報
【特許文献６】特開２０１３−２３８００７号公報
【特許文献７】実用案登録第３２１４８７２号公報
【特許文献８】特開２０１８−１２３５６０号公報
【考案の概要】
【考案が解決しようとする課題】
【００１０】
しかしながら、前記スライド式の止水装置は、建物等の出入口の幅に合わせて止水板をスライド調整しても、止水板の端部を建物等の出入口の壁面や柱に十分な押圧力で押し付けることができず、止水板の端部と出入口の壁面や柱との間から雨水等が漏れるという問題が発生することがある。
【００１１】
また、前記折り畳み式の止水装置は、複数枚の止水板を広げたときに建物等の出入口の幅に合致し難いうえ、スライド式の止水装置と同様に止水板の端部を建物等の出入口の壁面や柱に十分な押圧力で押し付けることができず、止水板の端部と出入口の壁面や柱との間から雨水等が漏れるという問題が発生することがある。
【００１２】
本考案は、上記課題を解決するために為されたものであり、建物や駐車場等の様々な出入口の幅に確実且つ良好に対応できると共に、出入口への設置や倉庫等への収納に要する労力、時間を軽減できることは勿論のこと、建物や駐車場等の出入口を確実且つ良好に止水できるようにした浸水防止シャッターを提供することをその主たる目的とする。
【課題を解決するための手段】
【００１３】
上記目的を達成するため、本考案に係る浸水防止シャッターは、各種建物の出入口、地上・地下の駐車場の出入口、地下街や地下鉄の出入口等に設置され、台風や豪雨による増水時に前記出入口から雨水や海水が内部へ浸入するのを防止する浸水防止シャッターであって、前記出入口の床面及び前記出入口の一方の壁面又は柱面に当接し得る固定パネルと、前記固定パネルに当該固定パネルの幅方向にスライド自在に設けられ、前記出入口の床面及び前記出入口の他方の壁面又は柱面に当接し得るスライドパネルと、前記固定パネルに設けられ、前記スライドパネルを前記固定パネルに固定するロックハンドルと、前記スライドパネルの前記固定パネルから突出する先端部に被せられ、前記出入口の他方の壁面又は柱面に当接し得る前記スライドパネルの幅方向へ移動可能なエンドカバーと、前記スライドパネルの先端部に設けられ、前記エンドカバーを前記出入口の他方の壁面又は柱面に押し付けるトグルクランプと、を備えていることを特徴とする。
【００１４】
また、本考案に係る浸水防止シャッターは、各種建物の出入口、地上・地下の駐車場の出入口、地下街や地下鉄の出入口等に設置され、台風や豪雨による増水時に前記出入口から雨水や海水が内部へ浸入するのを防止する浸水防止シャッターであって、前記出入口の床面に当接し得る固定パネルと、前記固定パネルに当該固定パネルの幅方向にスライド自在に設けられ、前記出入口の床面及び前記出入口の一方の壁面又は柱面に当接し得るスライドパネルと、前記固定パネルに設けられ、前記スライドパネルを前記固定パネルに固定するロックハンドルと、前記スライドパネルの前記固定パネルから突出する先端部に被せられ、前記出入口の一方の壁面又は柱面に当接し得る前記スライドパネルの幅方向へ移動可能なエンドカバーと、前記スライドパネルの先端部に設けられ、前記エンドカバーを前記出入口の一方の壁面又は柱面に押し付けるトグルクランプと、前記固定パネルの基端部に折り畳み自在に連結され、前記出入口の床面及び前記出入口の他方の壁面又は柱面に当接し得る折り畳みパネルと、を備えていることを特徴とする。
【００１５】
前記スライドパネルの先端部と前記エンドカバーとの間に、前記エンドカバーを前記スライドパネルに対して位置決めすると共に、前記エンドカバーのがたつきを吸収するスプリング付アジャストボルトを設けることが好ましい。
【００１６】
一直線状になった前記固定パネルと前記折り畳みパネルの連結部分の上端縁部に、前記折り畳みパネルが前記固定パネル側へ折り畳まれるのを防止するチャンネル型補強カバーを被せることが好ましい。
【００１７】
前記固定パネルの下面及び基端面、前記スライドパネルの下面、前記エンドカバーの先端面及び下面に、シール用の止水ガスケットを貼り付けることが好ましい。
【００１８】
前記固定パネルの下面、前記スライドパネルの下面、前記エンドカバーの先端面及び下面、前記折り畳みパネルの下面及び先端面に、シール用の止水ガスケットを貼り付けることが好ましい。
【００１９】
前記固定パネル及び前記スライドパネルは、合成樹脂板の折り曲げ成形加工又は溶接加工により形成されていることが好ましい。
【００２０】
前記固定パネル、前記スライドパネル及び前記折り畳みパネルは、合成樹脂板の折り曲げ成形加工又は溶接加工により形成されていることが好ましい。
【考案の効果】
【００２１】
本考案に係る浸水防止シャッターは、固定パネルにスライドパネルをスライド自在に設けて伸縮自在とする構成、或いは固定パネルにスライドパネルをスライド自在に設けて伸縮自在とすると共に、固定パネルの基端部に折り畳みパネルを折り畳み自在に連結する構成としているため、スライドパネルをスライドさせて浸水防止シャッターを伸縮させたり、或いは折り畳みパネルを広げたりすることによって、建物や駐車場等の様々な出入口の幅に対応することができ、幅の異なる様々な出入口に確実且つ容易に設置することができるうえ、特別な設置工事が不要になって工事に伴う建物等の損傷も防げる。
【００２２】
また、本考案に係る浸水防止シャッターは、スライドパネルをスライドさせて浸水防止シャッターを短縮したり、或いは折り畳みパネルを折り畳むことによって、建物や駐車場等の出入口から簡単且つ容易に取り外せると共に、浸水防止シャッターのコンパクト化を図れて収納スペースや場所の節約を図れる。
【００２３】
更に、本考案に係る浸水防止シャッターは、エンドカバーを建物や駐車場等の出入口の壁面又は柱面に押し付けるトグルクランプやスライドパネルを固定パネルに固定するロックハンドルを備えているため、出入口への設置後の浸水防止シャッターのがたつきがなくなり、浸水防止シャッターと建物や駐車場等の出入口との間を確実且つ良好に止水することができる。しかも、本考案に係る浸水防止シャッターは、固定パネル、スライドパネル、エンドカバー、折り畳みパネルにシール用の止水ガスケットを貼り付けているため、浸水防止シャッターと出入口との間をより確実に止水することができる。特に、シール用の止水ガスケットの材質に厚肉の連泡タイプの合成ゴムスポンジを用いた場合には、出入口の床面の平滑性が悪い（例えば、床面がデコボコになっていたり、ゆがみ等がある）場合でも、止水性を確実に保つことができる。
【００２４】
更に、本考案に係る浸水防止シャッターは、固定パネル、スライドパネル、折り畳みパネルが合成樹脂板の折り曲げ成形加工又は溶接加工により形成されているため、軽量化を図れて出入口への取り付けや出入口からの取り外しを簡単且つ容易に行え、労力と時間を軽減することができる。
【００２５】
更に、本考案に係る浸水防止シャッターは、一直線状になった固定パネルと折り畳みパネルの連結部分の上端縁部に着脱自在に被せられるチャンネル型補強カバーを備えているため、折り畳みパネルが固定パネル側へ不用意に折り畳まれるのを防止することができる。
【図面の簡単な説明】
【００２６】
【図１】本考案の第１の実施形態に係る浸水防止シャッターの一部の部品（トグルクランプ等）を省略した概略斜視図である。
【図２】図１のイ−イ線拡大断面図である。
【図３】建物や駐車場等の出入口に図１に示す浸水防止シャッターを設置した状態を示し、（Ａ）はその概略正面図、（Ｂ）はその概略平面図である。
【図４】建物や駐車場等の出入口に図１に示す浸水防止シャッターを設置した状態を示し、一部分を省略した一部切欠拡大正面図である。
【図５】建物や駐車場等の出入口に図１に示す浸水防止シャッターを設置した状態を示し、（Ａ）はトグルクランプを開放した状態の一部分を省略した一部切欠拡大平面図、（Ｂ）はトグルクランプを操作してエンドカバーを壁面へ押し付けた状態の一部分を省略した一部切欠拡大平面図である。
【図６】本考案の第２の実施形態に係る浸水防止シャッターの一部の部品（トグルクランプ等）を省略した概略斜視図である。
【図７】図６に示す浸水防止シャッターの固定パネルと折り畳みパネルの連結部分の拡大斜視図である。
【図８】建物や駐車場等の出入口に図６に示す浸水防止シャッターを設置した状態を示し、（Ａ）はその概略正面図、（Ｂ）はその概略平面図である。
【考案を実施するための形態】
【００２７】
以下、本考案の実施形態を図面に基づいて詳細に説明する。
【００２８】
図１は本考案の第１の実施形態に係る浸水防止シャッター１を示し、当該浸水防止シャッター１は、戸建ての家屋やビル、マンション等の各種建物の出入口Ｓ、地上・地下の駐車場の出入口Ｓ、地下街や地下鉄の出入口Ｓ等に設置され、台風や豪雨による増水時に前記出入口Ｓから雨水や海水が内部へ浸入するのを防止するものである。
【００２９】
即ち、浸水防止シャッター１は、図１〜図５に示す如く、各種建物や駐車場等の出入口Ｓの床面Ｆ及び出入口Ｓの一方の壁面Ｗ（又は柱面）に当接し得る横長の固定パネル２と、固定パネル２に当該固定パネル２の幅方向（長手方向）へスライド自在に設けられ、出入口Ｓの床面Ｆ及び出入口Ｓの他方の壁面Ｗ（又は柱面）に当接し得る横長のスライドパネル３と、固定パネル２に設けられ、スライドパネル３を固定パネル２へ固定する複数のロックハンドル４と、スライドパネル３の固定パネル２から突出する先端部に被せられ、出入口Ｓの他方の壁面Ｗ（又は柱面）に当接し得るスライドパネル３の幅方向（長手方向）へ移動可能なエンドカバー５と、スライドパネル３の先端部とエンドカバー５との間に設けた複数のスプリング付アジャストボルト６と、スライドパネル３の先端部に設けられ、エンドカバー５を出入口Ｓの他方の壁面Ｗ（又は柱面）に押し付けるトグルクランプ７と、固定パネル２の下面及び基端面、スライドパネル３の下面、エンドカバー５の先端面及び下面に貼り付けられるシール用の止水ガスケット８と、を備えており、伸縮自在な２枚パネル型の浸水防止シャッター１に構成されている。
【００３０】
固定パネル２は、図２に示す如く、厚さが４ｍｍ〜５ｍｍの合成樹脂板の折り曲げ成形加工又は溶接加工により断面形状が縦長のほぼコの字状等に形成されており、先端面（図１の左側端面）が開放された薄い縦型の横長のボックス状を呈している。
【００３１】
スライドパネル３は、図２に示す如く、固定パネル２と同様に厚さが４ｍｍ〜５ｍｍの合成樹脂板の折り曲げ成形加工又は溶接加工により断面形状が縦長のほぼコの字状等に形成されており、薄い縦型の横長のボックス状を呈している。このスライドパネル３は、固定パネル２の先端開口から固定パネル２内に固定パネル２の幅方向（長手方向）へスライド自在に挿入されている。
【００３２】
エンドカバー５は、図４及び図５に示す如く、厚さが４ｍｍ〜５ｍｍの合成樹脂板の折り曲げ成形加工又は溶接加工によりスライドパネル３の先端部を覆う断面形状コ字状に形成されており、スライドパネル３の先端部にスライドパネル３の幅方向（長手方向）へ移動自在に被せられている。
【００３３】
スプリング付アジャストボルト６は、エンドカバー５をスライドパネル３に対して位置決めすると共に、エンドカバー５のがたつきを吸収するものであり、図４に示す如く、エンドカバー５の内面に水平姿勢で固着され、スライドパネル３の先端面壁に挿通されたボルト６ａと、ボルト６ａの先端部に螺着されたナット６ｂと、スライドパネル３の先端面壁とナット６ｂの間に介設された圧縮コイルスプリング６ｃと、を備えている。
【００３４】
トグルクランプ７は、図４及び図５に示す如く、スライドパネル３の先端部に固定された台座フレーム７ａと、台座フレーム７ａに設けた案内用筒体７ｂと、案内用筒体７ｂにスライドパネル３の幅方向（長手方向）へ摺動自在に挿通されたスピンドル７ｃと、スピンドル７ｃにトグル機構７ｄ（リンク機構）を介して連動連結されたレバー７ｅと、を備えており、レバー７ｅを図５（Ａ）及び（Ｂ）の矢印方向へ操作すると、トグル機構７ｄを介してスピンドル７ｃが進退移動するようになっている。また、スピンドル７ｃの先端部には、エンドカバー５の内面に当接し得るスピンドル７ｃの軸線方向へ移動調整自在な調整ネジ７ｆが設けられている。この調整ネジ７ｆを移動調整することによって、トグルクランプ７の押し付け力を調整できるようになっている。
【００３５】
ロックハンドル４は、図４及び図５に示す如く、固定パネル２の先端部（図４及び図５に示す固定パネル２の左側端部）の上下に固定した台座９に設けられており、当該ロックハンドル４には、ノブ付きボルトが使用されている。このノブ付きボルトは、その先端部がスライドパネル３に当接しており、ノブ付きボルトを締め付ける方向へ回すと、スライドパネル３が固定パネル２の内面へ押圧されて固定パネル２に固定され、また、ノブ付きボルトを緩める方向へ回すと、スライドパネル３の固定パネル２への押圧状態が解除されてスライドパネル３が固定パネル２に対してスライド可能となる。
【００３６】
止水ガスケット８は、図２に示す如く、厚肉の連泡タイプの合成ゴムスポンジにより断面形状が矩形の長尺状に形成されており、固定パネル２の下面及び基端面、スライドパネル３の下面、エンドカバー５の先端面及び下面に両面粘着テープ（図示省略）や接着剤により貼り付けられている。
【００３７】
本実施形態においては、固定パネル２は、長さが１４００ｍｍ〜１８００ｍｍ、高さが４７０ｍｍ、厚みが５０ｍｍにそれぞれ設定されている。また、スライドパネル３は、長さが７００ｍｍ〜１８００ｍｍ、高さが固定パネル２内に挿入される寸法、厚みが４０ｍｍにそれぞれ設定されている。更に、止水ガスケット８の断面寸法は、縦及び幅がそれぞれ３０ｍｍに設定されている。そして、２枚パネル型の浸水防止シャッター１は、建物や駐車場等の出入口Ｓの幅が１６００ｍｍ〜３５００ｍｍの出入口Ｓに適用できるようになっており、収納時には、スライドパネル３が固定パネル２内にスライド収納されて全長が約２０００ｍｍ程度に縮小されるようになっている。
【００３８】
而して、上述した２枚パネル型の浸水防止シャッター１においては、建物や駐車場等の出入口Ｓの幅に合わせて浸水防止シャッター１を伸長させ、固定パネル２の下面及び基端面、スライドパネル３の下面、エンドカバー５の先端面及び下面に止水ガスケット８を貼り付け、建物や駐車場等の出入口Ｓの床面Ｆ及び対向する壁面Ｗ（又は対向する柱）へ当接させた後、ロックハンドル４を操作してスライドパネル３を固定パネル２へ固定すると共に、トグルクランプ７を操作して浸水防止シャッター１を出入口Ｓの対向する壁面Ｗ（又は対向する柱面）に固定する。このとき、トグルクランプ７は、雨水等の止水に十分な押し付け力が得られるように調整されている。
【００３９】
尚、トグルクランプ７による浸水防止シャッター１の出入口Ｓの壁面Ｗ（又は柱面）への固定力及び止水ガスケット８の止水のための適正圧縮量は、トグルクランプ７のスピンドル７ｃの先端部に設けた調整ネジ７ｆにより行っている。
【００４０】
図６は本考案の第２の実施形態に係る浸水防止シャッター１を示し、当該浸水防止シャッター１は、戸建ての家屋やビル、マンション等の各種建物の出入口Ｓ、地上・地下の駐車場の出入口Ｓ、地下街や地下鉄の出入口Ｓ等に設置され、台風や豪雨による増水時に前記出入口Ｓから雨水や海水が内部へ浸入するのを防止するものである。
【００４１】
即ち、本考案の第２の実施形態に係る浸水防止シャッター１は、図６〜図８に示す如く、各種建物や駐車場等の出入口Ｓの床面Ｆに当接し得る横長の固定パネル２と、固定パネル２に当該固定パネル２の幅方向（長手方向）へスライド自在に設けられ、出入口Ｓの床面Ｆ及び出入口Ｓの一方の壁面Ｗ（又は柱面）に当接し得る横長のスライドパネル３と、固定パネル２に設けられ、スライドパネル３を固定パネル２へ固定する複数のロックハンドル４と、スライドパネル３の固定パネル２から突出する先端部に被せられ、出入口Ｓの一方の壁面Ｗ（又は柱面）に当接し得るスライドパネル３の幅方向（長手方向）へ移動可能なエンドカバー５と、スライドパネル３の先端部とエンドカバー５との間に設けた複数のスプリング付アジャストボルト６と、スライドパネル３の先端部に設けられ、エンドカバー５を出入口Ｓの一方の壁面Ｗ（又は柱面）に押し付けるトグルクランプ７と、固定パネル２の基端部（図６に示す固定パネル２の右側端部）に折り畳み自在に連結され、出入口Ｓの床面Ｆ及び出入口Ｓの他方の壁面Ｗ（又は柱面）に当接し得る折り畳みパネル１０と、一直線状になった固定パネル２と折り畳みパネル１０の連結部分の上端縁部に被せられ、折り畳みパネル１０が固定パネル２側へ折り畳まれるのを防止するチャンネル型補強カバー１１と、固定パネル２の下面、スライドパネル３の下面、エンドカバー５の先端面及び下面、折り畳みパネル１０の下面及び先端面に貼り付けられるシール用の止水ガスケット８と、を備えており、伸縮自在で且つ折り畳み可能な３枚パネル型の浸水防止シャッター１に構成されている。
【００４２】
尚、３枚パネル型の浸水防止シャッター１は、２枚パネル型の浸水防止シャッター１に折り畳みパネル１０とチャンネル型補強カバー１１を追加したものであり、固定パネル２、スライドパネル３、ロックハンドル４、エンドカバー５、スプリング付アジャストボルト６、トグルクランプ７、止水ガスケット８は、２枚パネル型の浸水防止シャッター１に用いたものと同様構造に構成されているため、ここではその詳細な説明を省略し、同じ部材・部位には同一の参照番号を付している。
【００４３】
折り畳みパネル１０は、厚さが４ｍｍ〜５ｍｍの合成樹脂板の折り曲げ成形加工又は溶接加工により断面形状が縦長のほぼコの字状等に形成されており、薄い縦型の横長のボックス状を呈している。この折り畳みパネル１０は、図７に示す如く、その基端部が丁番１２を介して固定パネル２の基端部に折り畳み自在に連結されており、固定パネル２に対して一直線状になる展開位置と、固定パネル２に対して１８０°折り畳まれた状態となる折り畳み位置とを取り得るようになっている。
【００４４】
また、固定パネル２の基端面（又は折り畳みパネル１０の基端面）には、合成ゴムスポンジにより長尺状に形成された止水ガスケット８が貼り付けられており、固定パネル２と折り畳みパネル１０とが一直線状になったときに、固定パネル２の端面と折り畳みパネル１０の端面との間を止水ガスケット８により止水できるようになっている。
【００４５】
チャンネル型補強カバー１１は、図６に示す如く、厚さが４ｍｍ〜５ｍｍの合成樹脂板の折り曲げ成形加工又は溶接加工により断面形状がコ字状の樋状に形成されており、固定パネル２と折り畳みパネル１０の連結部分の上端縁部に被せられて固定パネル２と折り畳みパネル１０を一直線状に保つものである。
【００４６】
本実施形態においては、固定パネル２は、長さが１４００ｍｍ〜１８００ｍｍ、高さが４７０ｍｍ、厚みが５０ｍｍにそれぞれ設定されている。また、スライドパネル３は、長さが７００ｍｍ〜１８００ｍｍ、高さが固定パネル２内に挿入される寸法、厚みが４０ｍｍにそれぞれ設定されている。更に、折り畳みパネル１０は、長さが１４００ｍｍ〜１８００ｍｍ、高さが４７０ｍｍ、厚みが５０ｍｍにそれぞれ設定されている。加えて、止水ガスケット８の断面寸法は、縦及び幅がそれぞれ３０ｍｍに設定されている。そして、３枚パネル型の浸水防止シャッター１は、建物や駐車場等の出入口Ｓの幅が３５００ｍｍ〜５０００ｍｍの出入口Ｓに適用できるようになっており、収納時には、スライドパネル３が固定パネル２内にスライド収納されると共に、折り畳みパネル１０が固定パネル２側へ１８０°折り畳まれて全長が約２３００ｍｍ程度に縮小されるようになっている。
【００４７】
而して、上述した３枚パネル型の浸水防止シャッター１においては、建物や駐車場等の出入口Ｓの幅に合わせて浸水防止シャッター１を伸長・展開させ、エンドカバー５の先端面及び下面、スライドパネル３の下面、固定パネル２の下面、折り畳みパネル１０の下面及び基端面に止水ガスケット８を貼り付け、建物や駐車場等の出入口Ｓの床面Ｆ及び対向する壁面Ｗ（又は対向する柱）へ当接させた後、ロックハンドル４を操作してスライドパネル３を固定パネル２へ固定すると共に、トグルクランプ７を操作して浸水防止シャッター１を出入口Ｓの対向する壁面Ｗ（又は対向する柱面）に固定する。このとき、トグルクランプ７は、雨水等の止水に十分な押し付け力が得られるように調整されている。また、一直線状になった固定パネル２と折り畳みパネル１０の連結部分の上端縁部にチャンネル型補強カバー１１を被せる。
【００４８】
尚、トグルクランプ７による浸水防止シャッター１の出入口Ｓの壁面Ｗへの固定力及び止水ガスケット８の止水のための適正圧縮量は、トグルクランプ７のスピンドル７ｃの先端部に設けた調整ネジ７ｆにより行っている。
【００４９】
上述した２枚パネル型の浸水防止シャッター１は、固定パネル２にスライドパネル３をスライド自在に設けて伸縮自在とし、また、３枚パネル型の浸水防止シャッター１は、固定パネル２にスライドパネル３をスライド自在に設けて伸縮自在とすると共に、固定パネル２の基端部に折り畳みパネル１０を折り畳み自在に連結しているため、浸水防止シャッター１を伸縮させたり、折り畳みパネル１０を広げたりすることによって、建物や駐車場等の様々な出入口Ｓの幅に対応することができ、幅の異なる様々な出入口Ｓに確実且つ容易に設置することができるうえ、特別な設置工事が不要になって工事に伴う建物等の損傷も防げる。
【００５０】
２枚パネル型の浸水防止シャッター１は、固定パネル２内にスライドパネル３の大半を収納することができ、また、３枚パネル型の浸水防止シャッター１は、固定パネル２内にスライドパネル３の大半を収納することができると共に、折り畳みパネル１０を丁番１２により固定パネル２側へ１８０°折り畳むことができるため、コンパクト化を図れて収納場所やスペースの確保が容易となる。
【００５１】
２枚パネル型及び３枚パネル型の浸水防止シャッター１は、エンドカバー５をトグルクランプ７により建物や駐車場等の出入口Ｓの壁面Ｗ（又は柱面）に押し付け、また、スライドパネル３をロックハンドル４により固定パネル２に固定するようにしているため、建物や駐車場等の出入口Ｓへの設置後の浸水防止シャッター１のがたつきがなくなり、浸水防止シャッター１と建物や駐車場等の出入口Ｓとの間を確実且つ良好に止水することができる。しかも、固定パネル２、スライドパネル３、エンドカバー５、折り畳みパネル１０にシール用の止水ガスケット８を貼り付けているため、浸水防止シャッター１と出入口Ｓとの間をより確実に止水することができる。特に、シール用の止水ガスケットの材質に厚肉の連泡タイプの合成ゴムスポンジを用いているため、出入口Ｓの床面Ｆの平滑性が悪い（例えば、床面Ｆがデコボコになっていたり、ゆがみ等がある）場合でも、止水性を確実に保つことができる。
【００５２】
２枚パネル型及び３枚パネル型の浸水防止シャッター１は、固定パネル２、スライドパネル３、折り畳みパネル１０が合成樹脂板の折り曲げ成形加工又は溶接加工により形成されているため、軽量化を図れて出入口Ｓへの取り付けや出入口Ｓからの取り外しを簡単且つ容易に行え、労力と時間を軽減することができる。
【００５３】
尚、上記の実施形態においては、固定パネル２、スライドパネル３、折り畳みパネル１０を合成樹脂板により形成したが、他の実施形態においては、固定パネル２、スライドパネル３、折り畳みパネル１０を軽量の金属板により形成しても良い。
【００５４】
また、上記の実施形態においては、固定パネル２に１枚のスライドパネル３をスライド自在に収納するようにしたが、他の実施形態においては、固定パネル２に複数枚のスライドパネル３をスライド自在に収納するようにしても良い。
【符号の説明】
【００５５】
１  浸水防止シャッター
２  固定パネル
３  スライドパネル
４  ロックハンドル
５  エンドカバー
６  スプリング付アジャストボルト
７  トグルクランプ
８  止水ガスケット
１０  折り畳みパネル
１１  チャンネル型補強カバー
Ｆ  床面
Ｓ  出入口
Ｗ  壁面
【図１】
0003227406.tif 000003
【図２】
0003227406.tif 000004
【図３】
0003227406.tif 000005
【図４】
0003227406.tif 000006
【図５】
0003227406.tif 000007
【図６】
0003227406.tif 000008
【図７】
0003227406.tif 000009
【図８】
0003227406.tif 000010
【手続補正書】
【提出日】令和2年2月20日(2020.2.20)
【手続補正１】
【補正対象書類名】実用新案登録請求の範囲
【補正対象項目名】全文
【補正方法】変更
【補正の内容】
【実用新案登録請求の範囲】
【請求項１】
各種建物、地上・地下の駐車場、地下街、地下鉄等の出入口に設置され、台風や豪雨による増水時に前記出入口から雨水や海水が内部へ浸入するのを防止する浸水防止シャッターであって、
前記出入口の床面及び前記出入口の一方の壁面又は柱面に当接する固定パネルと、
前記固定パネルに設けられ、前記出入口の床面及び前記出入口の他方の壁面又は柱面に当接するスライドパネルと、
前記固定パネルに設けられ、前記スライドパネルを前記固定パネルに固定するロックハンドルと、
前記スライドパネルの前記固定パネルから突出する先端部に被せられ、前記出入口の他方の壁面又は柱面に当接するエンドカバーと、
前記スライドパネルの先端部に設けられ、前記エンドカバーを前記出入口の他方の壁面又は柱面に押し付けるトグルクランプと、
を備えていることを特徴とする浸水防止シャッター。
【請求項２】
各種建物、地上・地下の駐車場、地下街、地下鉄等の出入口に設置され、台風や豪雨による増水時に前記出入口から雨水や海水が内部へ浸入するのを防止する浸水防止シャッターであって、
前記出入口の床面に当接する固定パネルと、
前記固定パネルに設けられ、前記出入口の床面及び前記出入口の一方の壁面又は柱面に当接するスライドパネルと、
前記固定パネルに設けられ、前記スライドパネルを前記固定パネルに固定するロックハンドルと、
前記スライドパネルの前記固定パネルから突出する先端部に被せられ、前記出入口の一方の壁面又は柱面に当接するエンドカバーと、
前記スライドパネルの先端部に設けられ、前記エンドカバーを前記出入口の一方の壁面又は柱面に押し付けるトグルクランプと、
前記固定パネルの基端部に連結され、前記出入口の床面及び前記出入口の他方の壁面又は柱面に当接する折り畳みパネルと、
を備えていることを特徴とする浸水防止シャッター。
【請求項３】
前記スライドパネルの先端部と前記エンドカバーとの間に、前記エンドカバーを前記スライドパネルに対して位置決めすると共に、前記エンドカバーのがたつきを吸収するスプリング付アジャストボルトを設けたことを特徴とする請求項１又は請求項２に記載の浸水防止シャッター。
【請求項４】
一直線状になった前記固定パネルと前記折り畳みパネルの連結部分の上端縁部に、前記折り畳みパネルが前記固定パネル側へ折り畳まれるのを防止するチャンネル型補強カバーを被せたことを特徴とする請求項２に記載の浸水防止シャッター。
【請求項５】
前記固定パネルの下面及び基端面、前記スライドパネルの下面、前記エンドカバーの先端面及び下面に、シール用の止水ガスケットを貼り付けたことを特徴とする請求項１に記載の浸水防止シャッター。
【請求項６】
前記固定パネルの下面、前記スライドパネルの下面、前記エンドカバーの先端面及び下面、前記折り畳みパネルの下面及び先端面に、シール用の止水ガスケットを貼り付けたことを特徴とする請求項２に記載の浸水防止シャッター。
【請求項７】
前記固定パネル及び前記スライドパネルは、合成樹脂板の折り曲げ成形加工又は溶接加工により形成されていることを特徴とする請求項１に記載の浸水防止シャッター。
【請求項８】
前記固定パネル、前記スライドパネル及び前記折り畳みパネルは、合成樹脂板の折り曲げ成形加工又は溶接加工により形成されていることを特徴とする請求項２に記載の浸水防
【手続補正２】
【補正対象書類名】明細書
【補正対象項目名】００１３
【補正方法】変更
【補正の内容】
【００１３】
上記目的を達成するため、本考案に係る浸水防水シャッターは、各種建物、地上・地下の駐車場、地下街、地下鉄等の出入口に設置され、台風や豪雨による増水時に前記出入口から雨水や海水が内部へ浸入するのを防止する浸水防止シャッターであって、前記出入口の床面及び前記出入口の一方の壁面又は柱面に当接する固定パネルと、前記固定パネルに設けられ、前記出入口の床面及び前記出入口の他方の壁面又は柱面に当接するスライドパネルと、前記固定パネルに設けられ、前記スライドパネルを前記固定パネルに固定するロックハンドルと、前記スライドパネルの前記固定パネルから突出する先端部に被せられ、前記出入口の他方の壁面又は柱面に当接するエンドカバーと、前記スライドパネルの先端部に設けられ、前記エンドカバーを前記出入口の他方の壁面又は柱面に押し付けるトグルクランプと、を備えていることを特徴とする。
【手続補正３】
【補正対象書類名】明細書
【補正対象項目名】００１４
【補正方法】変更
【補正の内容】
【００１４】
また、本考案に係る浸水防水シャッターは、各種建物、地上・地下の駐車場、地下街、地下鉄等の出入口に設置され、台風や豪雨による増水時に前記出入口から雨水や海水が内部へ浸入するのを防止する浸水防止シャッターであって、前記出入口の床面に当接する固定パネルと、前記固定パネルに設けられ、前記出入口の床面及び前記出入口の一方の壁面又は柱面に当接するスライドパネルと、前記固定パネルに設けられ、前記スライドパネルを前記固定パネルに固定するロックハンドルと、前記スライドパネルの前記固定パネルから突出する先端部に被せられ、前記出入口の一方の壁面又は柱面に当接するエンドカバーと、前記スライドパネルの先端部に設けられ、前記エンドカバーを前記出入口の一方の壁面又は柱面に押し付けるトグルクランプと、前記固定パネルの基端部に連結され、前記出入口の床面及び前記出入口の他方の壁面又は柱面に当接する折り畳みパネルと、を備えていることを特徴とする。
【手続補正書】
【提出日】令和2年5月25日(2020.5.25)
【手続補正１】
【補正対象書類名】実用新案登録請求の範囲
【補正対象項目名】全文
【補正方法】変更
【補正の内容】
【実用新案登録請求の範囲】
【請求項１】
各種建物、地上・地下の駐車場、地下街、地下鉄等の出入口に設置され、台風や豪雨による増水時に前記出入口から雨水や海水が内部へ浸入するのを防止する浸水防止シャッターであって、
前記出入口の床面及び前記出入口の一方の壁面又は柱面に当接する固定パネルと、
前記固定パネルに設けられ、前記出入口の床面及び前記出入口の他方の壁面又は柱面に当接するスライドパネルと、
前記固定パネルに設けられ、前記スライドパネルを前記固定パネルに固定するロックハンドルと、
前記スライドパネルの前記固定パネルから突出する先端部に被せられ、前記出入口の他方の壁面又は柱面に当接するエンドカバーと、
前記スライドパネルの先端部に設けられ、前記エンドカバーを前記出入口の他方の壁面又は柱面に押し付けるトグルクランプと、
を備えていることを特徴とする浸水防止シャッター。
【請求項２】
各種建物、地上・地下の駐車場、地下街、地下鉄等の出入口に設置され、台風や豪雨による増水時に前記出入口から雨水や海水が内部へ浸入するのを防止する浸水防止シャッターであって、
前記出入口の床面に当接する固定パネルと、
前記固定パネルに設けられ、前記出入口の床面及び前記出入口の一方の壁面又は柱面に当接するスライドパネルと、
前記固定パネルに設けられ、前記スライドパネルを前記固定パネルに固定するロックハンドルと、
前記スライドパネルの前記固定パネルから突出する先端部に被せられ、前記出入口の一方の壁面又は柱面に当接するエンドカバーと、
前記スライドパネルの先端部に設けられ、前記エンドカバーを前記出入口の一方の壁面又は柱面に押し付けるトグルクランプと、
前記固定パネルの基端部に連結され、前記出入口の床面及び前記出入口の他方の壁面又は柱面に当接する折り畳みパネルと、
を備えていることを特徴とする浸水防止シャッター。
【請求項３】
前記スライドパネルの先端部と前記エンドカバーとの間に、前記エンドカバーを前記スライドパネルに対して位置決めすると共に、前記エンドカバーのがたつきを吸収するスプリング付アジャストボルトを設けたことを特徴とする請求項１又は請求項２に記載の浸水防止シャッター。
【請求項４】
一直線状になった前記固定パネルと前記折り畳みパネルの連結部分の上端縁部に、前記折り畳みパネルが前記固定パネル側へ折り畳まれるのを防止するチャンネル型補強カバーを被せたことを特徴とする請求項２に記載の浸水防止シャッター。
【請求項５】
前記固定パネルの下面及び基端面、前記スライドパネルの下面、前記エンドカバーの先端面及び下面に、シール用の止水ガスケットを貼り付けたことを特徴とする請求項１に記載の浸水防止シャッター。
【請求項６】
前記固定パネルの下面、前記スライドパネルの下面、前記エンドカバーの先端面及び下面、前記折り畳みパネルの下面及び先端面に、シール用の止水ガスケットを貼り付けたことを特徴とする請求項２に記載の浸水防止シャッター。
【請求項７】
前記固定パネル及び前記スライドパネルは、合成樹脂板の折り曲げ成形加工又は溶接加工により形成されていることを特徴とする請求項１に記載の浸水防止シャッター。
【請求項８】
前記固定パネル、前記スライドパネル及び前記折り畳みパネルは、合成樹脂板の折り曲げ成形加工又は溶接加工により形成されていることを特徴とする請求項２に記載の浸水防止シャッター。